(57)【要約】      （修正有）【課題】蓋が不正に開封されたか否かを容易に確認でき、しかも消費者に確実にサービス券を提供できる容器を提供する。【解決手段】容器本体２、蓋３、サービス券４、及び被覆材５を備える。蓋３は容器本体２の口部２０に着脱可能に取り付けられて口部２０を閉塞する。被覆材５は、合成樹脂製の熱収縮性フィルムから形成される。被覆材５は、少なくとも口部２０の外面から蓋３の外面にまで亘る範囲に密接する。サービス券４が蓋３の天面に載置される。サービス券４が蓋３と被覆材５とで挟持される。【選択図】図２
2016003044.tif 000002
【特許請求の範囲】
【請求項１】
容器本体と、
前記容器本体の口部に着脱可能に取り付けられて前記口部を閉塞する蓋と、
サービス券と、
合成樹脂製の熱収縮性フィルムから形成され、少なくとも前記口部の外面から前記蓋の外面にまで亘る範囲に密接する被覆材とを備え、
前記サービス券が前記蓋の天面に載置され、このサービス券が前記蓋と前記被覆材とで挟持されることを特徴とする容器。
【請求項２】
前記蓋がピルファープルーフ構造を有さないねじ式のキャップであり、前記被覆材の一部が前記容器本体における下方を向く面に密接することを特徴とする請求項１に記載の容器。
【発明の詳細な説明】
【技術分野】
【０００１】
本発明は一般に容器、より詳細にはサービス券付きの容器に関する。
【背景技術】
【０００２】
今日、容器本体の口部に着脱可能に取り付けられる蓋として、ねじ式のキャップが用いられることが多々ある。また、特許文献１にはペットボトルの口部に装着されるピルファープルーフキャップが開示されている。
【０００３】
ところで、例えばペットボトル等の飲料用の容器にあっては、販売促進を図るために容器本体の胴部の外面にサービス券が貼り付けられる場合がある。サービス券は、例えば、複数枚のサービス券を同一商品や景品と引き換えるサービスに用いられる。
【先行技術文献】
【特許文献】
【０００４】
【特許文献１】国際公開第２０１１／１１８５５１号
【発明の概要】
【発明が解決しようとする課題】
【０００５】
前記のように容器本体の胴部に貼り付けられたサービス券は剥がれやすい。このため、容器の搬送時や自動販売機での取り出し時等において、サービス券が容器本体から剥がれ落ちる可能性がある。また、容器の外面に貼り付けられたサービス券は、容器本体から容易に剥がすことができるため、流通過程等において不正に容器本体から剥離される可能性もある。
【０００６】
このようにサービス券が容器本体から外れた場合又は取り外された場合、商品を購入した消費者にサービス券を提供することができず、サービス券による販売促進効果が得られない。
【０００７】
また、容器の蓋は、一度開封しても再び蓋を閉じると、一見しただけでは蓋の開閉の履歴が判り難く、不正に開封されやすいという問題もある。
【０００８】
本発明は前記事情に鑑みてなされたものであって、蓋が不正に開封されたか否かを容易に確認でき、しかも消費者に確実にサービス券を提供できる容器を提供することを目的とする。
【課題を解決するための手段】
【０００９】
本発明の容器は、容器本体と、前記容器本体の口部に着脱可能に取り付けられて前記口部を閉塞する蓋と、サービス券と、合成樹脂製の熱収縮性フィルムから形成され、少なくとも前記口部の外面から前記蓋の外面にまで亘る範囲に密接する被覆材とを備え、前記サービス券が前記蓋の天面に載置され、このサービス券が前記蓋と前記被覆材とで挟持されることを特徴とする。
【００１０】
また、前記蓋がピルファープルーフ構造を有さないねじ式のキャップであり、前記被覆材の一部が前記容器本体における下方を向く面に密接することが好ましい。
【発明の効果】
【００１１】
本発明にあっては、被覆材の状態を視認するだけで蓋が不正に開封されたか否かを確認できる。また、蓋の天面上に載置されたサービス券は、被覆材と蓋とで挟持されており、被覆材が破れる等しない限り蓋から外れない。このため、容器の搬送時や自動販売機での取り出し時等において、サービス券を外れ難くすることができる。また、サービス券を利用するには、被覆材を破って取り除く必要がある。このため、消費者以外の者によって不正にサービス券が盗まれ難くなる。従って、サービス券を消費者に確実に提供でき、サービス券により消費者の購買意欲を刺激して販売促進の効果を確実に得ることができる。
【図面の簡単な説明】
【００１２】
【図１】本実施形態の容器の斜視図である。
【図２】本実施形態の容器の要部断面図である。
【図３】本実施形態の他例の容器の要部断面図である。
【発明を実施するための形態】
【００１３】
以下、本発明の実施形態の一例について図面を参照しながら説明する。図１に本実施形態の容器１を示す。なお、以下に説明する本実施形態の容器１は、飲料用容器であるが、その内容物は飲料に限られず、調味料、化粧品、医薬品等であってもよい。また、容器の形態等は内容物や利用方法に応じて適宜選択されるものであり、本実施形態に限定されるものではない。
【００１４】
容器１は、容器本体２、蓋３、サービス券４、及び被覆材５を備えている。
【００１５】
本実施形態の容器１はペットボトルであり、容器本体２はポリエチレンテレフタレート（ＰＥＴ）から形成されている。また、蓋３は合成樹脂製である。なお、容器本体２は、ポリエチレンテレフタレート以外の合成樹脂、金属、あるいはガラス等から形成されてもよい。また、蓋３も合成樹脂の他、金属等から形成されてもよい。
【００１６】
図２に示すように、容器本体２の上端部には飲み口（注出口）となる口部２０が形成されており、容器本体２は口部２０を介して上方に開口する。
【００１７】
容器本体２の口部２０は、筒部２１、雄ねじ部２２、及び鍔部２３を備えている。筒部２１は上下に開口する縦円筒状に形成されている。雄ねじ部２２はねじ山で構成され、筒部２１の外周面の上部に形成されている。鍔部２３は筒部２１の全周に亘って形成されており、平面視円環状である。鍔部２３は筒部２１の外周面から外方に向かって突出している。鍔部２３は筒部２１の下部に形成されており、雄ねじ部２２よりも下方に位置している。
【００１８】
蓋３は容器本体２の口部２０に着脱可能に取り付けられている。蓋３は口部２０を閉塞している。本実施形態の蓋３は下方に開口したねじ式のキャップであって、天板部３０、周壁部３１、及び雌ねじ部３２を備えている。
【００１９】
天板部３０は平面視円形である。天板部３０の上面は、蓋３の天面を構成している。天板部３０の上面は、水平な平面である。蓋３の周壁部３１は、天板部３０の周縁部から垂下しており、縦円筒状に形成されている。蓋３の周壁部３１の内周面には、容器本体２の雄ねじ部２２に螺合可能なねじ山で構成された雌ねじ部３２が形成されている。
【００２０】
蓋３は、容器本体２の口部２０に被嵌され、雌ねじ部３２が雄ねじ部２２に螺合している。このように雌ねじ部３２が雄ねじ部２２に螺合することで、蓋３は容器本体２の口部２０に着脱可能に取り付けられている。蓋３は、周壁部３１の下端が容器本体２の鍔部２３の上面に接するまで締め込まれており、この蓋３により容器本体２の口部２０は密閉されている。
【００２１】
鍔部２３は口部２０に取り付けられた蓋３の下方に位置しており、蓋３では覆われていない。
【００２２】
なお、本実施形態の蓋３は、ピルファープルーフ（ｐｉｌｆｅｒ−ｐｒｏｏｆ）構造を有さないねじ式のキャップであるが、ピルファープルーフ構造を有するキャップ（すなわち、ピルファープルーフキャップ）であってもよい。
【００２３】
ピルファープルーフ構造は、下方に開口するキャップ本体の下端に破断しやすい破断部を介してピルファープルーフバンドを連結した構造である。ピルファープルーフキャップは、例えば図２に示す口部２０に設けられた場合、ピルファープルーフバンドの一部が鍔部２３の下方に配置される。このピルファープルーフキャップを開封した（初めて開いた）とき、キャップ本体は上方に移動するがピルファープルーフバンドは鍔部２３に引っ掛かって上方への移動が規制される。このため、ピルファープルーフキャップは、破断部において破断されてキャップ本体とピルファープルーフバンドが分離し、ピルファープルーフバンドは容器本体２側に残る。従って、販売者や消費者等は、キャップ本体とピルファープルーフバンドの連結状態を視認することで、ピルファープルーフキャップが開封されたか否かを確認できる。
【００２４】
サービス券４は板状であって、平面視円形である。サービス券４は、表面（片面）を上に向けた状態で蓋３の天板部３０の上面に載置されている。サービス券４は、蓋３の天板部３０よりも直径が小さいコイン状であって、平面視において天板部３０よりも小さい。このため、消費者はサービス券４を容易に扱うことができる。
【００２５】
サービス券４は、例えば蓋３に対して載置されるだけで直接固定されない。なお、サービス券４は、蓋３の天板部３０の上面に接着剤を用いて剥離可能に接着される等して、蓋３に対して直接固定されてもよい。また、サービス券４の形態や材料は、サービス券４として利用できれば、どうような形態や材料であってもよい。
【００２６】
サービス券４は天板部３０の中央部上に配置されている。蓋３の天板部３０の上面は、中央部がサービス券４によって覆われているが、外周部はサービス券４に覆われていない。
【００２７】
図示は省略するが、サービス券４には、サービス券４を利用した、販売者によるサービスの内容を示す表示が施されている。この表示は、例えば印字された文字や、文字と絵柄の組み合わせ等からなる。なお、この表示はサービス券４の上面（表面）と下面（裏面）の両者に設けられてもよいし、サービス券４の上面のみ、あるいはサービス券４の下面にのみ設けられてもよい。
【００２８】
消費者がサービス券４により受けられるサービスとしては、例えば複数枚のサービス券４を同一商品や景品と引き換えられるサービス、あるいはサービス券４をクーポン券として用いて割引や優待等を受けることができるサービス、あるいはサービス券４の下面に「アタリ」又は「ハズレ」のいずれかを表示して「アタリ」のサービス券４を商品や景品と引き換えられるサービス等が挙げられる。消費者はサービス券４を販売者に渡したり提示したりすることで、確実に又は偶然に利益を得ることができる。このため、消費者の購買意欲を増して販売促進を図ることができる。
【００２９】
被覆材５は合成樹脂製の熱収縮性フィルム（シュリンクフィルム）であって、例えばポリエチレンテレフタレート、ポリスチレン、ポリプロピレン、ポリエチレン、ポリオレフィン等から形成される。なお、被覆材５は透明であるが、半透明又は不透明であってもよい。
【００３０】
被覆材５は、熱を加えることにより、容器本体２の口部２０の外面、蓋３の外面、及びサービス券４の上面の３者に密接し、固定されている。
【００３１】
被覆材５は、蓋３の外周面及び鍔部２３の外周面を被覆する筒状部５０と、筒状部５０の下端部から内方に向かって突出して鍔部２３の下面を被覆する下縁部５１と、筒状部５０の上端部から内方に向かって突出して蓋３の上面外周部及びサービス券４の上面外周部を被覆する上縁部５２を備えている。すなわち、本実施形態の被覆材５は、鍔部２３の下面外周部、鍔部２３の外周面、蓋３の外周面（周壁部３１の外周面）、蓋３の上面外周部（天板部３０の上面外周部）、及び蓋３の天面に載置されたサービス券４の上面外周部に亘る範囲に密接している。
【００３２】
サービス券４の外周部は、容器本体２の口部２０及び蓋３にされた被覆材５の上縁部５２と蓋３の天板部３０とで上下に挟持されている。
【００３３】
本実施形態のサービス券４は、上面中央部が被覆材５によって被覆されておらず被覆材５の上縁部５２の内側から露出している。ここで、被覆材５は、図３に示すようにサービス券４の上面全体を覆うものであってもよい。すなわち、図３に示す被覆材５は、図２に示す被覆材５の上縁部５２に代えて、蓋３の天板部３０の上面外周部及びサービス券４の上面全体を覆う上面部を備えている。図３に示す例では、熱収縮した被覆材５の上面部がサービス券４の上面全体に亘って密接しているので、サービス券４をより強固に固定できるといった利点がある。
【００３４】
被覆材５の筒状部５０は、鍔部２３の上面と周壁部３１の下端との間を密閉している。このため、容器本体２の口部２０は、蓋３と被覆材５で２重に密閉され、内容物が入った容器１の密閉性が高められている。
【００３５】
容器本体２の鍔部２３の下面外周部には、被覆材５の下縁部５１が密接している。このように、被覆材５の一部である下縁部５１が、容器本体２における下方を向く面に密接していると、被覆材５が容器本体２、蓋３、及びサービス券４に装着された状態（以下、装着状態と記載）にあるときには、蓋３が開く方向に回動しようとしても、被覆材５の下縁部５１が鍔部２３に当たって蓋３の上方への移動が阻止される。従って、容器１の密閉性が維持される。また、被覆材５は合成樹脂製であってその外面が滑らかである。このため、被覆材５が装着状態にあるときに、手指で被覆材５を介して蓋３を開く方向に回そうとしても、手指が被覆材５に対して滑って蓋３を回すことが難しい。すなわち、被覆材５が装着状態にあるときは、蓋３を開くことが極めて困難であり、被覆材５を破って取り除くことで初めて蓋３を容易に開くことができる。
【００３６】
なお、被覆材５は、少なくとも容器本体２の口部２０の外面、蓋３の外面、及びサービス券４の上面に亘る範囲に密接してあればよく、その密接する範囲は本実施形態の範囲に限定されない。例えば被覆材５で容器本体２と蓋３の全部を被覆してもよい。
【００３７】
図１に示すように、被覆材５には、装着状態にある被覆材５を取り外す際に被覆材５を破りやすくするためのミシン目５３が設けられている。図示例では、被覆材５に縦に延びるミシン目５３が２条並べて設けられており、各ミシン目５３は、被覆材５の上縁部５２の内縁から筒状部５０を経て下縁部５１の内縁にまで亘っている。このようなミシン目５３を設けることで、装着状態にある被覆材５は、ミシン目５３に沿って破ることで容易に取り除くことができる。なお、ミシン目５３は任意の要素であって、省略可能である。
【００３８】
容器１とこの内容物とからなる商品を購入した消費者は、装着状態にある被覆材５を破って取り除くことで、サービス券４を得ることができ、また、蓋３を開くことが可能になる。
【００３９】
以上説明した本実施形態の容器１は、以下に示す第１の特徴を有している。容器１は、容器本体２、蓋３、サービス券４、及び被覆材５を備える。蓋３は、容器本体２の口部２０に着脱可能に取り付けられて口部２０を閉塞する。被覆材５は、合成樹脂製の熱収縮性フィルムから形成され、少なくとも口部２０の外面から蓋３の外面にまで亘る範囲に密接する。サービス券４が蓋３の天面に載置される。サービス券４が蓋３と被覆材５とで挟持される。
【００４０】
この特徴を有する容器１は、被覆材５が容器本体２の口部２０の外面から蓋３の外面にまで亘る範囲に密接するため、被覆材５が装着状態にあるときには蓋３が開き難い。また、被覆材５は合成樹脂製の熱収縮フィルムであってその外面が滑らかである。このため、被覆材５が装着状態にあるときに、手指で被覆材５を介して蓋３を開こうとしても、手指が被覆材５に対して滑って蓋３を開くことが難しい。すなわち、被覆材５が装着状態にあるときに蓋３を開くことは極めて困難であり、蓋３を開くには被覆材５を破って取り除く必要がある。従って、被覆材５を視認するだけで蓋３が不正に開封されたか否かを確認でき、また、蓋３が消費者以外の者によって不正に開封されることを抑制できる。加えて、容器１内の内容物の品質を保証でき、消費者に対して衛生面での安全と安心感を与えて販売促進の効果を得ることもできる。
【００４１】
また、蓋３の天面上に配置されたサービス券４は、被覆材５と蓋３とで挟持されており、被覆材５が破れる等しない限り蓋３から外れない。このため、容器１の搬送時や自動販売機での取り出し時等において、サービス券４が外れ難い。また、サービス券４を利用するには、被覆材５を破って取り除く必要がある。このため、消費者以外の者によって不正にサービス券４が盗まれることを抑制できる。従って、サービス券４を消費者に確実に提供でき、サービス券４により消費者の購買意欲を刺激して販売促進の効果を確実に得ることができる。すなわち、第１の特徴を有する容器１は、蓋３が不正に開封されたか否かを確認するための、ピルファープルーフ機能を有する被覆材５を備えており、この被覆材５を用いて、サービス券４を消費者に確実に提供できる。
【００４２】
なお、本実施形態の蓋３はピルファープルーフ構造を有さないねじ式のキャップであるが、第１の特徴を有する容器１にあっては、蓋３がピルファープルーフキャップである場合にも、同様の利点がある。
【００４３】
また、容器１は、本実施形態のように以下に示す第２の特徴を有することが好ましい。蓋３はピルファープルーフ構造を有さないねじ式のキャップである。被覆材５の一部が容器本体２における下方を向く面（鍔部２３の下面）に密接する。
【００４４】
この特徴を有する容器１は、蓋３をピルファープルーフキャップと比較して簡易な構造にでき、容器１の製造コストを削減できる。また、ピルファープルーフ構造を有さない蓋３を用いたにもかかわらず、被覆材５を視認して蓋３が不正に開封されたか否かを確認できる。また、被覆材５が装着状態にあるときには、蓋３が開く方向に回ろうとしても、被覆材５の一部が容器本体２の下方を向く面（鍔部２３の下面）に当たって上方への移動が規制される。このため、蓋３が意図せずに開くこと、蓋３が不正に開封されること、サービス券４が外れること、及びサービス券４が盗まれることをより確実に防止できる。
【００４５】
なお、本実施形態の容器１は、本発明の趣旨を逸脱しない範囲で適宜変更可能である。例えば蓋３はねじ式のキャップの他、ねじのないキャップや、ヒンジを介して開閉するヒンジキャップ等、容器本体２の口部２０に着脱可能なその他の蓋であってもよい。また、本実施形態では被覆材５の一部が容器本体２の鍔部２３の下面に密接する例について説明したが、蓋３が上方に移動することを規制できるのであれば、被覆材５の一部が密接する容器本体２の下方を向く面は鍔部２３の下面以外の部分であってもよい。
【符号の説明】
【００４６】
１  容器
２  容器本体
２０  口部
３  蓋
４  サービス券
５  被覆材
【図１】
2016003044.tif 000003
【図２】
2016003044.tif 000004
【図３】
2016003044.tif 000005